(57)【要約】【課題】  本発明は、水温計の温度変化にかかわらず、精度の高い水温を検出できる車両用水温検出装置を提供する。【解決手段】  水温センサＢに接続して所定温度範囲を表示する水温計１を備えた車両用水温検出装置であって、水温センサＢと水温計１との間の配線に抵抗体２を介在させるとともに、この抵抗体２の両端の各電位を入力して、前記所定温度範囲外の水温値を検出する制御手段４を備える。また、抵抗体２を短絡可能にするスイッチ手段３を備え、制御手段４は、前記水温値の検出完了後に、スイッチ手段３によって、抵抗体２を短絡した状態にて、水温計１を作動させる。【選択図】図１
2014062750.tif 000002
【特許請求の範囲】
【請求項１】
水温センサに接続して所定温度範囲を表示する水温計を備えた車両用水温検出装置であって、
前記水温センサと前記水温計との間の配線に抵抗体を介在させるとともに、この抵抗体の両端の各電位を入力して、前記所定温度範囲外の水温値を検出する制御手段を備えたことを特徴とする車両用水温検出装置。
【請求項２】
前記抵抗体を短絡可能にするスイッチ手段を備え、前記制御手段は、前記水温値の検出完了後に、前記スイッチ手段によって、前記抵抗体を短絡した状態にて、前記水温計を作動させることを特徴とする請求項１に記載の車両用水温検出装置。
【請求項３】
前記制御手段は、車両の起動後の所定時間内に水温が低温であるか否かを検出する低温判定処理を行うことを特徴とする請求項１または請求項２に記載の車両用水温検出装置。
【発明の詳細な説明】
【技術分野】
【０００１】
本発明は、車両用水温検出装置に関し、特に通常の水温表示とは別に低水温の検出を行う車両用水温検出装置に好適である。
【背景技術】
【０００２】
従来の車両用水温検出装置は、例えば、特許文献１に開示されるものがある。この車両用水温検出装置は、エンジン冷却水の水温変化を抵抗値変化(アナログ信号)として出力する水温センサと、前記アナログ信号に応じて前記水温を表示する水温計を備えている。
また、前記アナログ信号に基づいて前記水温を比較判定する手段と、この比較判定手段の判定結果を表示するインジケータとを備え、水温計の表示範囲以外の低水温について、発光ダイオードを点灯させて低温状態をインジケータで表示するものがある。
【先行技術文献】
【特許文献】
【０００３】
【特許文献１】特開平８−３２６５３８号公報
【発明の概要】
【発明が解決しようとする課題】
【０００４】
しかしながら、特許文献１に記載の水温計は、ムーブメントを可動させるための巻線で構成されており、その巻線の抵抗値は、温度変化の影響を受け、巻線材料（銅）の温度係数に従い変化してしまうため、温度変化の大きな環境下では、精度の高いアナログ信号を比較判定手段に入力できず、特に低水温の正確な温度検出ができないといった問題があった。
【０００５】
そこで本発明は、前述の課題に着目して、水温計の温度変化に関わらず、精度の高い水温を検出することを目的とするものである。
【課題を解決するための手段】
【０００６】
本発明の車両用水温検出装置は、水温センサに接続して所定温度範囲を表示する水温計を備えた車両用水温検出装置であって、前記水温センサと前記水温計との間の配線に抵抗体を介在させるとともに、この抵抗体の両端の各電位を入力して、前記所定温度範囲外の水温値を検出する制御手段を備えてなることを特徴とする。
【０００７】
また、前記抵抗体を短絡可能にするスイッチ手段を備え、前記制御手段は、前記水温値の検出完了後に、前記スイッチ手段によって、前記抵抗体を短絡した状態にて、前記水温計を作動させることを特徴とする。
【０００８】
また、前記制御手段は、車両の起動後の所定時間内に水温が低温であるか否かを検出する低温判定処理を行うことを特徴とする。
【発明の効果】
【０００９】
本発明は、車両用水温検出装置に関し、水温計の温度変化にかかわらず、精度の高い水温を検出できる。
【図面の簡単な説明】
【００１０】
【図１】本発明の実施の形態における回路構成を示す図。
【図２】同上実施の形態の各種信号に基づく動作例について示す図。
【発明を実施するための形態】
【００１１】
以下、本発明の実施の形態として、車両用計器に適用したものを例に挙げて、図面を用いて説明する。
【００１２】
車両用計器Ａは、車載バッテリを駆動電源として、各種センサが検出する計測値（車両の状態）を車両利用者に報知するものであり、例えば、燃料計や水温計などを備えている。また、この場合、車両用計器Ａは、図１に示すように、水温計１を作動するため水温センサＢと接続している。
【００１３】
なお、水温センサＢは、温度によって抵抗値が変化するサーミスタを適用でき、抵抗体２を介して水温計１に接続し、アナログ信号を出力する。この場合、水温センサＢは、車両エンジンの冷却水の温度を検出するためのもので、一端側を車両用計器Ａに接続し、他端側を車体に接地している。
【００１４】
車両用計器Ａは、水温計１と、抵抗体２と、スイッチ手段３と、制御手段４と、インジケータ５とを備えている。
【００１５】
水温計１は、巻線(銅線)を有するムーブメントを駆動源として水温センサＢからのアナログ信号に従って指針が回動するように構成され、この指針の指示対象となる文字や目盛りからなる指標部とによって計測値となる水温を対比判読できるようにしている。この場合、水温計１は、車載バッテリに接続され、約１２Ｖのバッテリ電圧（＋Ｖ）が直接供給されて駆動（以下、直動と記す）しており、図示しない抵抗素子などによって、所定温度範囲（摂氏５０度乃至１００度の）の温度に対応して指針が指標部に沿って回動するように設定されている。
【００１６】
抵抗体２は、水温計１と水温センサＢとの間の配線において、直列に介在するとともに、両端間の電位を制御手段４が検出できるように配線されている。
【００１７】
スイッチ手段３は、ＦＥＴなどのトランジスタを適用でき、抵抗体２と制御手段４に接続し、制御手段４によって低水温を検出する場合には、制御手段４により抵抗体２の間を通電するようにオフ制御し、低水温検出処理後は、制御手段４により抵抗体２の間を短絡するようにオン制御する。
【００１８】
制御手段４は、マイクロコンピュータ等の演算手段を適用でき、ＲＯＭ等の記憶部に格納されたプログラムや、入出力インターフェースを介して入力される車両情報や検出する電位に基づいて、インジケータ５や電子制御ユニット（ＥＣＵ）への信号を生成して発することができる。例えば、制御手段４は、燃料計などの情報を別途表示器に表示させるための制御部として兼用される。
【００１９】
制御手段４は、スイッチ手段３をオン／オフ制御するとともに、スイッチ手段３をオフ制御している期間に、抵抗体３の両端電位を入力にてサンプリングし、その二つのサンプリングした値を比較演算することにより水温を検出する。この場合、制御手段４は、両端電位を入力する際にアナログデジタル変換用ポートに入力して各電位を検出することができる。
【００２０】
また、制御手段４は、図示しない電源入力に応じて起動を判定することができ、この起動に基づいて初期動作として、低温検出処理を行う。この場合、イグニッションスイッチを介して入力されるバッテリ電圧（＋Ｖ）に基づいて起動判定を行い、起動後、所定時間（例えば、１秒間）Ｔだけ抵抗体２に通電されるようにスイッチ手段３をオフ制御する。また、この所定時間Ｔ中に、制御手段４は、抵抗体２の両端の各電位をサンプリングし、この入力に基づく低温検出処理を行う。
【００２１】
また、制御手段４は、所定時間Ｔ経過後、スイッチ手段３をオン制御することで、抵抗体２を短絡状態としてバッテリ電圧（＋Ｖ）の入力がなくなるまで、水温センサＢからのアナログ信号に基づく水温計１の直動制御がなされる。
【００２２】
なお、制御手段４は、低温検出処理として、２つの電位値の割合に基づいて水温センサＢの水温値を算出することによって、水温計１の温度変化による電圧降下の変動などを加味して正確な水温値を検出することができる。この場合、制御手段４は、起動直後の水温値が、所定しきい値（例えば、摂氏１０度）以下であるか否かを判定し、所定しきい値以下であれば、車両が低温状態であるとして、インジケータ５を作動させるとともに、車両側の電子制御ユニット（ＥＣＵ）に低温状態である旨を知らせるための信号を出力する。電子制御ユニットは、この信号に基づいて自動的に所定の時間（例えば、３分間）だけ暖機運転を行うことができる。なお、温度に応じて暖機運転時間を可変することも考えられる。
【００２３】
インジケータ５は、制御信号４からの制御信号に基づいて車両状態を表示するものであり、この場合、冷却水が低温であることを示す警告灯（テルテール）を適用でき、発光ダイオード等の光源を点灯させることで、対応するシンボルマークの意匠を透過照明して知らせる。インジケータ５として、暖機状態を示すグローインジケータを適用することもできる。
【００２４】
斯かる車両用計器Ａは、水温センサＢに接続して所定温度範囲を表示する水温計１を備えた車両用水温検出装置であって、水温センサＢと水温計１との間の配線に抵抗体２を介在させるとともに、この抵抗体２の両端の各電位を入力して、前記所定温度範囲外の水温値を検出する制御手段４を備えてなる。
【００２５】
従って、水温計の温度変化に関わらず、精度の高い水温を検出することができる。また、車両用計器Ａの制御手段４は、抵抗体２の両端における電位の割合から算出することによって、バッテリ電圧が変動したとしても、正確な水温を検出することができるため、直動で水温計１を作動させる構成において有利である。
【００２６】
また、抵抗体２を短絡可能にするスイッチ手段３を備え、制御手段４は、前記水温値の検出完了後に、スイッチ手段３によって、抵抗体２を短絡した状態にて、水温計１を作動させることによって、直動式の水温計１の構成であっても、水温計１で用いる水温センサＢを兼用して低水温を検出することができる。起動後所定時間Ｔ前後という時間的な使い分けを行うことで実現できるため、車両用計器Ａから水温センサＢまでの配線など構成を簡潔にできる。
【００２７】
また、制御手段４は、車両の起動後の所定時間Ｔ内に水温が低温であるか否かを検出する低温判定処理を行うことによって、直動式の水温計１の構成であっても、自動的な暖機運転を促すことができる。なお、制御手段４は、車両用計器Ａ外の電子制御ユニットと各種車両情報をやりとりするための所定の通信プロトコル（多重通信信号）に変換する信号通信用回路を設けており、これを用いることで低温状態を知らせるための専用ケーブルなど不要であり簡単な構成で実現できる。
【００２８】
なお、本発明の車両用水温検出装置を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。
【産業上の利用可能性】
【００２９】
本発明は、車両用水温検出装置に関して、例えば、自動車やオートバイ、あるいは農業機械や建設機械を備えた移動体に搭載される水温計を備えた車両用複合計器に適用できる。
【符号の説明】
【００３０】
１  水温計
２  抵抗体
３  スイッチ手段
４  制御手段
５  インジケータ
Ａ  車両用計器（車両用水温検出装置）
Ｂ  水温センサ
【図１】
2014062750.tif 000003
【図２】
2014062750.tif 000004